【手続補正書】
【提出日】平成18年7月24日(2006.7.24)
【手続補正１】
【補正対象書類名】明細書
【補正対象項目名】特許請求の範囲
【補正方法】変更
【補正の内容】
【特許請求の範囲】
【請求項１】
コンピュータ・システム内でスキャナ・ソフトウェアからソフトウェア・アプリケーションに画像データを転送するためのユーザ・インタフェース方法であって、
（ａ）前記スキャナ・ソフトウェアをコンピュータ・システムのメモリにロードした状態で文書のプレビュー・スキャンを開始して、前記文書のプレビュー・スキャン・データを生成するステップと、
（ｂ）前記コンピュータ・システムに接続されたモニタに前記プレビュー・スキャン・データを表示するステップと、
（ｃ）前記モニタに表示された前記プレビュー・スキャン・データから対象領域を選択するステップと、
（ｄ）前記コンピュータ・システム内の前記メモリ内へ、前記コンピュータ・システムに接続された図形入力装置から、前記プレビュー・スキャン・データ内の前記選択された対象領域を選択するマウス・ダウン入力信号を受け取るステップと、
（ｅ）前記コンピュータ・システム内の前記メモリ内へ、前記図形入力装置から、前記ソフトウェア・アプリケーションを選択するマウス・ドロップ入力信号を受け取るステップであって、前記ソフトウェア・アプリケーションが前記コンピュータ・システムの前記メモリにあらかじめロードされ、前記モニタ上のオープン・アプリケーション・ウィンドウに表示されている、マウス・ドロップ入力信号を受け取るステップと、
（ｆ）前記スキャナ・ソフトウェアにより、前記画像データを作成する前記文書の最終スキャンを開始するステップであって、前記文書の前記画像データは前記選択された対象領域に対応する、最終スキャンを開始するステップと、
（ｇ）前記コンピュータ・システム内の前記メモリ内で前記画像データを受け取るステップと、
（ｈ）前記画像データを前記選択したソフトウェア・アプリケーションに送るステップと、を備えることを特徴とするユーザ・インタフェース方法。
【請求項２】
前記ステップ（ａ）は、
（ａ０）前記ステップ（ａ）の前に実行され、前記文書を、前記コンピュータ・システムに接続されたスキャナ装置がスキャンする位置に配置するステップをさらに備え、
前記ステップ（ｆ）は、
（ｆ１）前記スキャナ・ソフトウェアから、前記画像データを作成する前記文書の前記最終スキャンを開始するコマンドを前記スキャナ装置で受け取るステップさらに備えることを特徴とする請求項１に記載のコンピュータ・システム内でスキャナ・ソフトウェアからソフトウェア・アプリケーションに画像データを転送するためのユーザ・インタフェース方法。
【請求項３】
前記ステップ（ｄ）が、
（ｄ１）前記コンピュータ・システムの前記メモリ内に前記選択された対象領域のデータの種類を受け取るステップと、
（ｄ２）前記選択された対象領域の前記データの種類と関連した少なくとも１つのデータ形式を取り出すステップとをさらに備えることを特徴とする請求項１に記載のコンピュータ・システム内でスキャナ・ソフトウェアからソフトウェア・アプリケーションに画像データを転送するためのユーザ・インタフェース方法。
【請求項４】
前記選択された対象領域の前記データの種類が、真カラー、グレースケール、パレットまたは白黒２値であるときに、前記データ形式がウィンドウズデバイスインディペンデントビットマップ形式であることを特徴とする請求項３に記載のコンピュータ・システム内でスキャナ・ソフトウェアからソフトウェア・アプリケーションに画像データを転送するためのユーザ・インタフェース方法。
【請求項５】
前記選択された対象領域の前記データの種類が、白黒スケーラブル・ベクトルであるときに、前記データ形式が、ウィンドウズメタファイルクリップボード形式であることを特徴とする請求項３に記載のコンピュータ・システム内でスキャナ・ソフトウェアからソフトウェア・アプリケーションに画像データを転送するためのユーザ・インタフェース方法。
【請求項６】
前記選択された対象領域の前記データの種類がテキストのとき、前記データ形式が、アスキーテキスト形式またはリッチテキスト形式であることを特徴とする請求項３に記載のコンピュータ・システム内でスキャナ・ソフトウェアからソフトウェア・アプリケーションに画像データを転送するためのユーザ・インタフェース方法。
【請求項７】
前記ステップ（ｅ）が、前記ステップ（ｅ）の前に実行する以下のステップ；
（ｅ０ａ）前記図形入力装置から、前記モニタに表示された前記ソフトウェア・アプリケーションを識別するマウス・オーバ入力信号を受け取るステップと、
（ｅ０ｂ）前記選択された対象領域の前記データの種類と関連した前記少なくとも１つのデータ形式のうちの１つを前記スキャナ・ソフトウェアが提供するかどうかを、前記ソフトウェア・アプリケーションによって照会するステップであって、前記ソフトウェア・アプリケーションが、前記データの種類と関連した前記少なくとも１つのデータ形式のうちの前記一つに、フォーマットされた前記データの種類のドロップ入力を受け入れることができる、照会するステップと、
前記ステップ（ｅ）の後に実行する以下のステップ；
（ｅ１）前記ソフトウェア・アプリケーションによって、前記画像データを、前記ソフトウェア・アプリケーションが受け入れることができる前記データの種類と関連した前記少なくとも１つのデータ形式のうちの前記１つにフォーマットされることを要求するステップとをさらに備え、
前記ステップ（ｇ）が、前記ステップ（ｇ）の前に実行する、
（ｇ０）前記画像データを、前記ソフトウェア・アプリケーションが受け入れることができる前記データの種類と関連した前記少なくとも１つのデータ形式のうちの前記１つにフォーマットするステップをさらに備えることを特徴とする請求項３に記載のコンピュータ・システム内でスキャナ・ソフトウェアからソフトウェア・アプリケーションに画像データを転送するためのユーザ・インタフェース方法。
【請求項８】
（ｉ）前記メモリ内の前記選択されたソフトウェア・アプリケーション内に前記画像データを受け取るステップと、
（ｊ）前記モニタ上の前記オープン・アプリケーション・ウィンドウに前記画像データを表示するステップとをさらに備えることを特徴とする請求項１に記載のコンピュータ・システム内でスキャナ・ソフトウェアからソフトウェア・アプリケーションに画像データを転送するためのユーザ・インタフェース方法。
【請求項９】
前記ソフトウェア・アプリケーションがデスクトップ領域であり、
前記ステップ（ｉ）が、
（ｉ１）前記メモリ内に前記画像データを受け取る際に、前記メモリにロードされたオペレーティング・システム内のファイル・マネージャ・プログラム・ソフトウェアによってファイルを作成するステップであって、前記ファイルのファイル種類が前記データの種類に基づいて決定される、ファイルを作成するステップと、
（ｉ２）前記コンピュータ・システムに前記ファイルを前記ファイル種類として保存するステップと、
（ｉ３）前記デスクトップ領域上にアイコンとして前記ファイル種類の前記ファイルの表示を表すステップとをさらに備えることを特徴とする請求項８に記載のコンピュータ・システム内でスキャナ・ソフトウェアからソフトウェア・アプリケーションに画像データを転送するためのユーザ・インタフェース方法。
【請求項１０】
前記ソフトウェア・アプリケーションは書込み可能なフォルダであり、
前記ステップ（ｉ）が、
（ｉ１）前記メモリに前記画像データを受け取る際に、前記メモリにロードされたオペレーティング・システム内のファイル・マネージャ・ソフトウェアによってファイルを作成するステップであって、前記ファイルの種類が前記データの種類に基づいて決定される、ファイルを作成するステップと、
（ｉ２）前記コンピュータ・システムに前記ファイルを前記ファイル種類として保存するステップと、
（ｉ３）前記書込み可能フォルダにアイコンとして前記ファイルの表示を表すステップとをさらに備えることを特徴とする請求項８に記載のコンピュータ・システム内でスキャナ・ソフトウェアからソフトウェア・アプリケーションに画像データを転送するためのユーザ・インタフェース方法。